(57)【要約】【課題】２軸ヒンジを携帯型電子機器において、外観上見栄えのより良くする。【解決手段】本発明の携帯型電子機器は、第１の筐体１、第２の筐体２、及びこれらを接続するヒンジ部３を備える。ヒンジ部３は更に、第２幅広面１Ｂ及びこれに対向する第２幅広面面２Ａ間の平行関係を維持したまま、両筐体の一方を、その他方に対して回転させるための回転軸３２と、第２幅広面１Ｂ及び第３幅広面２Ａ間の角度を変更するような回転のための回転軸３１とを備える。そして、前記回転軸３１は、その両端が第２の筐体２の側縁部に連結され、前記回転軸３２は、その一端が第２幅広面１Ｂに又は当該面を貫通して第１の筐体の内部に連結される。【選択図】図３
2008252408.tif 000002
【特許請求の範囲】
【請求項１】
表示部を有する第１の筐体と、
操作部を有する第２の筐体と、
これら第１の筐体及び第２の筐体間を接続するヒンジ部と、
を備え、
前記ヒンジ部は更に、
前記第１の筐体の第１面及びこれに対向する前記第２の筐体の第２面間の平行関係を維持したまま、当該第１の筐体及び当該第２の筐体の一方を、その他方に対して、回転可能にするための回転用回転軸と、
前記第１面及び前記第２面間の角度を変更するように、前記第１の筐体及び前記第２の筐体の一方を、その他方に対して、回転可能にするための開閉用回転軸と、
を備え、
前記開閉用回転軸は、前記第２の筐体の側縁部に連結され、
前記回転用回転軸は、前記第１の筐体の前記第１面側に連結されている、
ことを特徴とする携帯型電子機器。
【請求項２】
前記第１の筐体における、前記第１面の裏面たる第３面に、前記表示部が備えられることを特徴とする請求項１に記載の携帯型電子機器。
【請求項３】
前記表示部はタッチパネルを含むことを特徴とする請求項２に記載の携帯型電子機器。
【請求項４】
前記第３面には更に、操作キーが備えられることを特徴とする請求項２又は３に記載の携帯型電子機器。
【請求項５】
前記第２面には、前記操作部が備えられることを特徴とする請求項１乃至４のいずれか一項に記載の携帯型電子機器。
【請求項６】
前記操作部は、フルキーボード装備を含むことを特徴とする請求項５に記載の携帯型電子機器。
【請求項７】
前記第２の筐体における、前記第２面の裏面たる第４面に、カメラが備えられることを特徴とする請求項１乃至６のいずれか一項に記載の携帯型電子機器。
【請求項８】
前記第１の筐体又は前記第２の筐体に、テレビ用のアンテナが備えられることを特徴とする請求項１乃至７のいずれか一項に記載の携帯型電子機器。
【請求項９】
前記側縁部は、前記ヒンジ部を収容可能な切り欠き部を含み、
前記開閉用回転軸の両端はそれぞれ、前記切り欠き部を構成する、相互に対向し合う壁面側に連結されている、
ことを特徴とする請求項１乃至８のいずれか一項に記載の携帯型電子機器。
【請求項１０】
前記開閉用回転軸は、複数の回転角位置で停止され得るようになっている
ことを特徴とする請求項１乃至９のいずれか一項に記載の携帯型電子機器。
【発明の詳細な説明】
【技術分野】
【０００１】
本発明は携帯型電子機器に関し、特に２つの筐体がヒンジ機構を介して接続される構造をもつ携帯型電子機器に関する。
【背景技術】
【０００２】
従来、２つの筐体をもつ携帯電話等の電子機器が提供されている。このような電子機器は、例えば、第１筐体には表示部が、第２筐体には操作部が備えられる等というように、両筐体間で一定の機能分担が図られているのが通常である。
【０００３】
また、かかる電子機器では、第１筐体と第２筐体とがヒンジ機構によって接続されており、両者が相対的に開閉可能とされているものも提供されている。ここで「開」及び「閉」とは、一方の筐体の一面（以下、便宜上「Ａ面」ということがある。）と、他方の筐体の一面（以下、便宜上「Ｂ面」ということがある。）とが、相互に対向しながらほぼ密着している状態が「閉」、そうでない状態が「開」であることを含意する。
【０００４】
また、前述のヒンジ機構としては、相互に直交する２つの回転軸をもつ、いわゆる２軸ヒンジ機構が提供されている。これによると例えば、第１に、一方の回転軸（開閉用回転軸）の回転によって、Ａ面とＢ面とのなす角度を０度よりも大きくすることで、「開」状態が実現され得る。また第２に、そのような状態において更に、他方の回転軸（回転用回転軸）の回転によって、Ａ面の裏面、あるいは当該裏面及びＡ面それぞれに接続する側面が、Ｂ面に対向するような状態等が実現され得ることになる。
【０００５】
以上述べたような電子機器としては、例えば特許文献１、２及び３に開示されているようなものが知られている。
【特許文献１】特開２００４−１６２８８号公報
【特許文献２】特開２００５−３５４３８４号公報
【特許文献３】特開２００３−１７４４９５号公報
【発明の開示】
【発明が解決しようとする課題】
【０００６】
これら特許文献１，２及び３は、いずれも、前述のような、第１筐体及び第２筐体並びにそれらの間をヒンジ機構で接続する構造をもつ電子機器を開示する。また、ここでいわれる「ヒンジ機構」は、すべて、前記とほぼ同様の２軸ヒンジ機構に該当する。
【０００７】
特許文献１及び２では、２軸ヒンジ機構の開閉用回転軸が操作部を有する筐体の操作面側に突設された一対の取り付け部に連結され、回転用回転軸が表示部を有する筐体の側面部に連結された構成となっており、特許文献３では、回転用回転軸が操作部を有する筐体の操作面側に連結され、開閉用回転軸が表示部を有する筐体の側面部に突設された一対の取り付け部に連結された構成となっている。
【０００８】
従って、これらの特許文献では何れも、第１筐体及び第２筐体を接続するヒンジ部が、閉状態においてさえ外観上視認しうるようになっているため、見栄えに劣るという不具合がある（例えば、特許文献１では、その〔図２〕等、特許文献２では〔図１〕・〔図５〕等、特許文献３では〔図６〕・〔図１０〕等、をそれぞれ参照。）。
【０００９】
また、これに関連して、そのような外観上視認可能なヒンジ部の存在は、第１筐体又は第２筐体の構造的な設計条件を制約するという不具合もある。
【００１０】
本発明は、上記事情に鑑みてなされたものであり、外観上見栄えのより良い携帯型電子機器を提供することを目的とする。
また、本発明は、２つの筐体の構造的な設計条件、特に表示部、ないしこれが設置されるべき筐体の一面についての設計条件の制約を可能な限り小さくすることが可能な電子機器を提供することを他の目的とする。
【課題を解決するための手段】
【００１１】
上記目的を達成するため、本発明に係る携帯型電子機器は、表示部を有する第１の筐体と、操作部を有する第２の筐体と、これら第１の筐体及び第２の筐体間を接続するヒンジ部と、を備え、前記ヒンジ部は更に、前記第１の筐体の第１面及びこれに対向する前記第２の筐体の第２面間の平行関係を維持したまま、当該第１の筐体及び当該第２の筐体の一方を、その他方に対して、回転可能にするための回転用回転軸と、前記第１面及び前記第２面間の角度を変更するように、前記第１の筐体及び前記第２の筐体の一方を、その他方に対して、回転可能にするための開閉用回転軸と、を備え、前記開閉用回転軸は、前記第２の筐体の側縁部に連結され、前記回転用回転軸は、前記第１の筐体の前記第１面側に連結される、ことを特徴とする。
【００１２】
また、本発明に係る電子機器では、前記第１の筐体における、前記第１面の裏面たる第３面に、表示部が備えられるように構成してもよい。
【００１３】
この態様では、前記表示部はタッチパネルを含むように構成してもよい。
【００１４】
また、表示部を備える態様では、前記第３面には更に、操作キーが備えられるように構成してもよい。
【００１５】
また、本発明に係る電子機器では、前記第２面には、操作部が備えられるように構成してもよい。
【００１６】
この態様では、前記操作部は、フルキーボード装備を含むように構成してもよい。
【００１７】
また、本発明に係る電子機器では、前記第２の筐体における、前記第２面の裏面たる第４面に、カメラが備えられるように構成してもよい。
【００１８】
また、本発明に係る電子機器では、前記第１の筐体又は前記第２の筐体に、テレビ用のアンテナが備えられるように構成してもよい。
【００１９】
また、本発明に係る電子機器では、前記側縁部は、前記ヒンジ部を収容可能な切り欠き部を含み、前記開閉用回転軸の両端はそれぞれ、前記切り欠き部を構成する、相互に対向し合う壁面側に連結される、ように構成してもよい。
【００２０】
また、本発明に係る電子機器では、前記開閉用回転軸は、複数の回転角位置で停止され得る、ように構成してもよい。
【発明の効果】
【００２１】
以上のように、本発明によれば、開閉用回転軸が操作部を有する第２の筐体の側縁部に連結され、また、回転用回転軸が表示部を有する第１の筐体の第１面（第２の筐体に対向する面）の側に連結されているので、ヒンジ部は、外観上殆ど目立たないこととなる。したがって、見栄えのより良い電子機器を提供することができる。
また、そのようなヒンジ部の配置態様により、２つの筐体の構造的な設計条件、特に表示部、ないしこれが設置されるべき筐体の一面についての設計条件の制約は相当程度小さくなる。
【発明を実施するための最良の形態】
【００２２】
本発明の実施の形態に係る携帯型電子機器について、以下図面を参照して説明する。この携帯型電子機器は、第１筐体１、第２筐体２及びヒンジ部３を備える。
【００２３】
第１筐体１は、比較的扁平な略直方体形状をもつ。この略直方体形状を構成する幅広面の一方（以下、「第１幅広面１Ａ」という。）には、図１（a）に示すように、表示部１１が備えられている。この表示部１１は、例えば液晶表示装置等から構成される。この表示部１１には、図示はされないが、テレビ電波用の受像回路、あるいは画像信号処理回路等が接続されている。
また、この表示部１１は、タッチパネル１１Ａを含む。タッチパネルの駆動原理としては、電極式、圧電膜式等基本的にどのような方式を採用してもよい。
【００２４】
第１幅広面１Ａにはまた、マイク１２、レシーバ１３及び操作キー１４が備えられている。
マイク１２は、当該携帯型電子機器のユーザの声を受け取り、これを電気信号に変換する機能を持つ。レシーバ１３は、マイク１２とは逆に、所定の電気信号を音声に変換する機能を持つ。これらは、本実施形態に係る携帯型電子機器を、携帯電話として使用する場合に大きく資する。
【００２５】
操作キー１４は、図１（ａ）に示すように、円形状のキー等の各種キーを含む。この操作キー１４は、比較的簡単な操作のために用いられて好適である。例えば、表示部１１に比較的制限された幾つかの選択肢を含む機能選択メニューを表示し、その中から、ユーザに所望の選択肢を選んでもらう等といった用途である。更に具体的には、本実施形態に係る携帯型電子機器が携帯電話として用いられる場合において、電話帳の検索や発着信履歴を利用した発信等の用途に利用されると便利である。図において、操作キー１４は、前述したような選択肢選択のために利用可能なカーソルキー（十字キー）１４１と決定キー１４２、及びクリアキー１４３やカメラモード起動キー１４４等からなる。
【００２６】
一方、第１筐体１における、前記略直方体形状を構成する幅広面の他方（以下、「第２幅広面１Ｂ」という。）には、図９に示すように、ゴム材１５が備えられている。このゴム材１５は、第２幅広面１Ｂの輪郭をなぞるような形状をもつ。ただし、当該形状は、後述するヒンジ部３が存在する場所に対応するように形成された一部切り欠き部分を含む。このゴム材１５は、第１筐体１及び第２筐体２が閉状態にあるときに、両者間の直接的な接触を回避する。これにより、第１筐体１及び第２筐体２が相互に傷つけ合うことを防止する。
なお、第２幅広面１Ｂは、前記の第１幅広面１Ａからみて裏側の面に該当する（その逆もまた、当然そうである。）。
【００２７】
第２筐体２は、前記第１筐体１と同様、比較的扁平な略直方体形状をもつ。この略直方体形状を構成する幅広面の一方（以下、「第３幅広面２Ａ」という。）には、図３、図４及び図７に示すように、操作部２１が備えられている。この操作部２１は、各種のアルファベットキー、エンターキー、スペースキー、ファンクションキー等を含む。この場合、操作部２１は、いわゆるフルキーボード装備であり得る。
【００２８】
一方、略直方体形状を構成する幅広面の他方（以下、「第４幅広面２Ｂ」という。）には、カメラ２２が備えられている。カメラ２２は、外界の景色を撮像する。図示はされないが、レンズ、光電変換素子、所定の制御回路等が、このカメラ２２には含まれる。
なお、第４幅広面２Ｂは、前記の第３幅広面２Ａからみて裏側の面に該当する（その逆もまた、当然そうである。）。
【００２９】
第２筐体２には、上記の他、スピーカ２３及び側面操作キー２４が備えられている。
スピーカ２３は、図４に示すように、第２筐体２の図中下端面及び上端面に備えられている。スピーカ２３は、前述のレシーバ１３と同様、所定の電気信号を音声に変換する機能を持つ。他方、側面操作キー２４は、図１（ｃ）に示すように、第２筐体２の右側面に備えられている。この側面操作キー２４は、前述の操作キー１４と同様、比較的簡単な操作のために用いられて好適である。ただ、設置場所からして、操作キー１４に比べても、より容易な操作のために用いられて、なお好適である。図において、側面操作キー２４は２つのキー２４１，２４２からなり、カメラモードを起動しているときにはそれぞれシャッターキー及びズームキーとして機能する。
【００３０】
また、第２筐体２の内部には、図１（ｂ）及び図２に示すように、ロッドアンテナ２５が収納されている。このロッドアンテナ２５は、基端部２５ａと本体部２５ｂとがヒンジピン等で折り曲げ可能に連結されており、ヒンジピン等による連結部２５ｃまで第２筐体２から引き出し可能となっている。これにより、本体部２５ｂは、引き出された状態において任意の方向に向けることができ、また任意の長さに伸ばすことができるようになっている。これは、本実施形態に係る携帯型電子機器を、例えばテレビ等として用いる際に利用して好適である。
【００３１】
前述の第１筐体１と第２筐体２とを接続するヒンジ部３は、図１乃至図３に示すように、第２筐体２の長手方向側縁の中央部に形成された切り欠き部２６に配置されており、第１回転軸３１及び第２回転軸３２を含む。
【００３２】
第１回転軸３１は、第２筐体２の長手方向の側縁部に沿うように配置されている。第１回転軸３１の両端は、それぞれ、当該切り欠き部２６を構成する、相互に対向し合う壁面（図２でいえば、図中上端側及び下端側の２つの面）に設けられた軸受け部或いは第２筐体２内に設けられた軸受け部により、回転摺動可能に軸支されている。
これにより、第１筐体１及び第２筐体２は、第１回転軸３１を中心軸として相対的に回転可能となる。この回転は、第２幅広面１Ｂと第３幅広面２Ａとのなす角度が次第に大きく、又は小さくなっていくような回転である。つまり、第１回転軸３１は第１筐体１を第２筐体２に対して開閉させる開閉用回転軸として機能している。なお、図示していないが、ヒンジ部３には、開角の角度（第１回転軸３１の回転による回転角）を複数の所定角度（例えば６０度、１８０度及び−１０度等）にすることができる機構、或いは開角の角度を任意の角度にすることができる機構が内蔵されている。
【００３３】
第２回転軸３２は、第１回転軸３１に対して直交するようにヒンジ部３内に設けられている。第２回転軸３２の一端は第１筐体１の第２幅広面１Ｂの側に連結されている。より具体的には、第２幅広面１Ｂの側からその内部に挿入され且つ当該内部に設けられた軸受け部に取り付けられ、当該一端或いはヒンジ部３内で取り付けられている他端の何れか一方が、軸受け部に対して回転摺動可能となっている。
これにより、第１筐体１及び第２筐体２は、第２回転軸３２を中心軸として相対的に回転可能となる。この回転は、第２幅広面１Ｂと第３幅広面２Ａとの平行関係が維持されたままの回転を含む。つまり、第２回転軸３２は第１筐体１を第２筐体２に対して回転させる回転用回転軸として機能している。
【００３４】
以上、本実施形態に係る携帯型電子機器は、第１筐体１、第２筐体２及びヒンジ部３を備えるが、上記でも適宜触れたように、当該携帯型電子機器では、携帯電話による通話、テレビ視聴、あるいはカメラによる撮像等々を目的とした利用が可能となっている。そのため、図示はされないが、通信用電波等各種電波の受波部及び送波部や、画像信号、音声信号等の各種信号処理回路、更にはカメラ駆動用の制御回路等、これら各種機器の駆動に必要な要素が、当該携帯型電子機器には備えられている。
また、この携帯型電子機器には、前記の各種要素の統制のとれた動作を実現するため、制御部（不図示）が備えられている。さらに、その動作の補助等を目的として、各種情報の記憶装置、当該携帯型電子機器に脱着可能な外部記憶装置等を備えることが可能である（これらも不図示）。
【００３５】
次に、上述した構成の携帯型電子機器の開閉動作及びそれに応じた使用態様等について説明する。
本実施形態に係る携帯型電子機器では、常態において、図１（ａ）に示すように、第１筐体１と第２筐体２とは、それぞれの第２幅広面１Ｂ及び第３幅広面２Ａを相互に対向させ、且つ、それらがほぼ密着された状態で、閉じられている（以下、かかる状態を、「定常閉状態」という。）。
【００３６】
この定常閉状態においては、図１（ａ）に示すように、第１幅広面１Ａ上のマイク１２及びレシーバ１３が外界にさらされているので、そのような閉状態にありながら、電話による通話をすること等が可能である。また、この定常閉状態では、図２及び図４に示すように、カメラ２２もまた外界にさらされているので、その使用も可能となっている。この場合、カメラ２２の操作のためには、例えば操作キー１４及び側面操作キー２４（特に、シャッターキー２４１及びズームキー２４２）を利用することができる。
【００３７】
このような定常閉状態から、両筐体１及び２の開状態を実現するためには、以下の２つの手順がある。
まず、第１に、図５又は図６に示すように、第２幅広面１Ｂと第３幅広面２Ａとのなす角度が０度よりも大きくなることによって、開状態が実現される場合である（以下、かかる開状態を「第１開状態」という。）。この第１開状態は、第１回転軸３１を中心軸として、第１筐体１が第２筐体２に対して回転していくことによって実現される。なお、ここでいう回転は、第１筐体１及び第２筐体２間で相対的であるから、どちらを主体とした回転動作を行わせるかは自由であることは言うまでもない。
【００３８】
図５（ａ）に示す状態は、第１回転軸３１を中心軸として、第１筐体１を第２筐体２に対して例えば６０度回転させた状態であり、第１幅広面１Ａが、いわば起こされた状態となるから、ユーザは、表示部１１をほぼ正面視することができる。したがって、かかる状態では、例えばテレビ視聴等が可能である。この場合、ロッドアンテナ２５を第２筐体２から引き出して連結部２５ｃで折り曲げ、同図に示すように、ロッドアンテナ２５を上方に伸ばしておくと好ましい。
【００３９】
この第１開状態ではまた、図５（ｂ）に示すように、第１筐体１の図５（ａ）中右端部、及び、第２筐体２の同じく右端部を、床面に接地させた状態をとることもできる。この場合であっても、ユーザは、表示部１１をほぼ正面視することができるから、前述と同様、テレビ視聴等が可能である。
ただし、図５（ｂ）の場合、表示部１１の天地が、図５（ａ）の場合とは逆転するので、図５（ａ）及び（ｂ）において相異ならぬ画面の放映ないし再生及び視聴等を実現するためには、テレビ駆動用の画像信号処理回路の適当な切替え操作（ハード的対処）、あるいは画像信号それ自体に対する適当な操作（ソフト的対処）等を行うようにしておくと好ましい。また、ロッドアンテナ２５も回転させて、図示のように、上方に伸ばした状態にするのが好ましい。
【００４０】
なお、この第１開状態には、図５に示すように、第２幅広面１Ｂ及び第２幅広面２Ａ間の角度を鋭角（例えば、６０度）に保つ状態だけでなく、図６に示すように、両者間の角度を更に大きくして、ほぼ１８０度にしてしまう状態等も含まれる。図６に示す状態の場合、表示部１１とカメラ２２とが同一の方向を向くので、操作者自身の自己撮影が可能になる。
また、場合によっては、第２幅広面１Ｂ及び第２幅広面２Ａ間の角度が、１８０度以上となるような場合が実現可能とされていてもよい。
【００４１】
次に、開状態が実現される場合の第２は、図７及び図８に示すように、第２幅広面１Ｂと第３幅広面２Ａとの平行関係を保ったまま、開状態を実現する場合である（以下、かかる開状態を「第２開状態」という。）。この第２開状態は、第２回転軸３２を中心軸として、第２幅広面１Ｂが、第３幅広面２Ａ上をいわば滑るように回転していくことによって実現される（図７中二点鎖線参照。）。なお、この状態は、図８では、破線で示されている。また、ここでいう回転が、前述の第１開状態が実現される場合と同様、第１筐体１及び第２筐体２間で相対的であることは同じである。
【００４２】
この第２開状態では、図７に示すように、第３幅広面２Ａ上の操作部２１が外界にさらされることになる。一方、第１幅広面１Ａ上の表示部１１は依然外界に表われたままである。したがって、かかる状態では、フルキーボード装備を含みうる操作部２１と表示部１１の全面を利用して、例えば各種のドキュメントの入力等を実施することが可能である。
なお、この場合、前記のドキュメント入力等の際には、タッチパネル１１Ａの利用も可能である。
【００４３】
また、この第２開状態では、図８に実線で示すように、第１回転軸３１を利用した回転によって、表示部１１の角度を調整することも可能である。すなわち、図８における実線は、第１筐体１を少し引き起こした状態（第１回転軸３１をマイナス１０度回転させた状態）を示している。また、この状態は、第２回転軸３２の端部とその軸受け部との連結部の構成（形状）によって達成することもできる。
なお、このような場合、定常閉状態において、第２幅広面１Ｂと第３幅広面２Ａとは、幾何学上の厳密な意味における「平行関係」にあるとはいえない場合も生じうるが、本発明にいう「平行関係」とは、このような若干の誤差が存する場合を含む常識的な解釈によって理解されるべき用語である。
【００４４】
以上説明した、本実施形態に係る携帯型電子機器によれば、次のような効果が奏される。
（１）  本実施形態に係る携帯型電子機器では、第２回転軸３２の一端が第１筐体１の第２筐体２と対向する面側に連結されているので、定常閉状態において、ヒンジ部３は、外観上、殆ど目立たない（図１から図４参照）。また、ヒンジ３が第２筐体２の側縁部の切り欠き部２６に収納されるように配置されているので、当該の効果をより高めている。
このように、本実施形態によれば、極めてスマートで、洗練されたデザインをもつ携帯型電子機器を提供することができる。
【００４５】
（２）  本実施形態に係る携帯型電子機器は、上記（１）のように、第２回転軸３２の一端が第１筐体１の第２筐体２と対向する面側に連結されているため、第１筐体１の構造的な設計制約、特に、外観上の構造的な設計制約は可能な限り排除されている。とりわけ、表示部１１については、図１（ａ）に示すように、基本的に、第１幅広面１Ａの全面を使った設計が自由に展開され得るようになっている。図１（ａ）では、操作キー１４等を配置する関係上、たまたま、表示部１１が第１幅広面１Ａの全面を占拠する形態とはなっていないが、そのような設計可能性が完全に確保されているという事実こそが重要である。むしろ、この場合、表示部１１を設置しながら、操作キー１４、マイク１２及びレシーバ１３の適宜の配置も可能となっている点、本発明が奏功していることの証左となっているといいうる。
要するに、本実施形態に係る携帯型電子機器によれば、表示部１１等についての設計自由度の増大が図られているのである。繰り返しになるが、これは、ヒンジ部３を外観から排除するような構造を採用したことによる大きな効果である。
【００４６】
（３）  本実施形態に係る携帯型電子機器によれば、極めて高い利便性、操作性が享受され得る。この点については、上記において既に触れた部分もあるが、ここにまとめておく。
【００４７】
（３．１）  定常閉状態において、携帯電話機能による通話が可能である。これは、図１（ａ）に示すように、第１幅広面１Ａにマイク１２及びレシーバ１３等が備えられていることによる（ちなみに、マイク１２及びレシーバ１３に関する、このような配置が可能となっているのは、前記の（２）に記載した効果の現れの一つということができる。この点、以下の記載についても共通する。）
【００４８】
（３．２）  定常閉状態においてはまた、カメラ２２及び側面操作キー２４等を用いた外界の景色の撮像が可能である。
（３．３）  定常閉状態においては更に、ユーザは、表示部１１を視認することができる。したがって、かかる状態であるにもかかわらず、ユーザは、当該表示部１１を通じた、各種の情報の摂取が可能である。また、この際、タッチパネル１１Ａを利用した情報の入力もまた、可能である。
【００４９】
（３．４）  第１開状態においては、第２幅広面１Ｂと第３幅広面２Ａとのなす角度が鋭角（約６０度）である場合に、ユーザは、携帯電子機器を机の上等に置いた状態で、表示部１１を正面視することができるので、好適にテレビ視聴等が可能である（図５（ａ）又は（ｂ）参照。）。
（３．５）  第１開状態においてはまた、前記角度が１８０度である場合に、ユーザは、カメラ２２によって撮像された自分自身の映像を表示部１１によって視認することができる（図６参照。）。つまり、自己撮影が好適且つ容易にできる。
上記（３．４）及び（３．５）いずれの場合においても、タッチパネル１１Ａを利用した情報の入力もまた、可能である。
【００５０】
（３．６）  第２開状態においては、ユーザは、フルキーボード装備を含みうる操作部２１と表示部１１の全面を利用して、例えば各種のドキュメントの入力等を実施することができる（図７参照。）。勿論、この場合もまた、タッチパネル１１Ａを利用した情報の入力が可能である。また、この際、第１回転軸３１を利用した、表示部１１の角度調整が可能であり、ユーザにとって極めてフレンドリーである。
このような第２開状態では、ユーザは、比較的長い文章のメール等を快適に入力することができる。従来の携帯電話から比べれば、格段に高い操作性が達成されているということができる。また、この第２開状態は、表示画面の視認が可能な定常閉状態において第１筐体１を第２筐体２に対して第２回転軸３２周りに１８０度回転させる、という一回の操作で行えるので、同様の状態からの操作では、開操作と回転操作の２操作が必要な特許文献１及び２に開示の構造に比べて、操作性が優れる。
【００５１】
以上述べたように、本実施形態に係る携帯型電子機器によれば、ユーザは、各種各様の態様において、極めて高い利便性、操作性を享受することができるのである。
【００５２】
なお、本発明は上記実施形態にかかわらず、種々の変形が可能である。その変形例としては、例えば次のようなものがある。
【００５３】
（１）  上記実施形態では、ヒンジ部３、とりわけその構成要素たる第１回転軸３１が、第２筐体２の長手方向の側縁部に沿うようにして配置されているが、本発明は、かかる形態に限定されない。第１回転軸３１、あるいはこれを含むヒンジ部３は、短手方向に沿うように配置されていてもよい。
【００５４】
（２）  上記実施形態では、ヒンジ部３を構成する第１回転軸３１が、第２筐体２の側縁部に形成された切り欠き部６２に収納されるように配置されているが、本発明は、かかる形態に限定されない。例えば、当該側縁部から張り出した耳部（あるいは舌片部等。以下略）を設け、第１回転軸３１を、これら２つの耳部の間で回転可能に保持するような形態も採用可能である。この場合、第１筐体１は、第２筐体２の側縁部から張り出した耳部まで覆う大きさにすることが望ましい。このような場合も、本発明にいう「側縁部に連結」という概念に含まれることは明らかである。
【００５５】
（３）  上記実施形態では、テレビ視聴等が可能となる態様として、図５を参照して説明しているが、かかる図５に示す第２幅広面１Ｂ及び第３幅広面２Ａ間の開き角度は一例を示しているに過ぎない。上述においても図８等に関する説明の際既に述べたように、両者間の角度は任意に設定されてよい。
【００５６】
（４）  上記実施形態では、閉じた状態において露出する第１筐体１の第１幅広面１Ａに表示部１１を設けられ、その背面である第２幅広面１Ｂに回転軸３２の一端が取り付けられているが、回転軸３２の一端が取り付けられている第２幅広面１Ｂに表示部１１を設けるようにしてもよい。この場合、第１幅広面１Ａは単なる外装部となるが、ヒンジ部が露出しないので機構上の制約が無く、自由にデザインでき、装飾性を大幅に向上させることができる。なお、この場合、閉じた状態で表示を見ることはできないが、第１回転軸３１を中心軸として、第１筐体１を所定角度開くことにより、テレビ視聴、文字入力、カメラ撮影を行うことができる。また、回転軸３２を回動中心として第１筐体１を１８０度回転することにより、自分撮り撮影もできる。また、この構成においては、ヒンジ３を短手方向に沿うように配置した場合には、通話の際に筐体を片手で持つことも可能であり、従って、上記実施形態と比べて殆ど遜色ない効果を得ることができる。
【００５７】
（５）  上記実施形態では、携帯型電子機器として電話機能、テレビ機能及びカメラ機能を備える電子機器を例に挙げて説明を行ったが、２つの筐体を２軸ヒンジ機構で連結した携帯型電子機器であれば、ノート型パーソナルコンピュータ、デジタルカメラ、腕時計、ＰＤＡ（Personal Digital Assistance）、電子手帳、携帯型無線機、その他の電子機器に本発明を適用可能である。
【図面の簡単な説明】
【００５８】
【図１】本発明の実施の形態に係る携帯型電子機器を示す図であり、（ａ）は正面図、（ｂ）は左側面図、（ｃ）は右側面図である。
【図２】図１の電子機器の背面図である。
【図３】図１（ａ）のＡ-Ａ線断面図である。
【図４】図１（ａ）のＢ-Ｂ線断面図である。
【図５】図１の電子機器の第１開状態の例を示す図であり、（ａ）はそのうちの一の使用態様、（ｂ）は他の使用態様をそれぞれ示すものである。
【図６】図１の電子機器の第１開状態の他の例を示す図である。
【図７】図１の電子機器の第２開状態の例を示す図である。
【図８】図１の電子機器の第２開状態の他の例を示す図である。
【図９】第１筐体の裏面（表示部が備えられていない面）を示す図である。
【符号の説明】
【００５９】
１・・・第１筐体、１Ａ・・・第１幅広面、１Ｂ・・・第２幅広面、１１・・・表示部、１１Ａ・・・タッチパネル、１２・・・マイク、１３・・・レシーバ、１４・・・操作キー、１４１・・・カーソルキー、１４２・・・決定キー、１４３・・・クリアキー、１４４・・・決定キー、１５・・・ゴム材、２・・・第２筐体、２Ａ・・・第３幅広面、２Ｂ・・・第４幅広面、２１・・・操作部、２２・・・カメラ、２３・・・スピーカ、２４・・・側面操作キー、２４１・・・シャッターキー、２４２・・・ズームキー、２５・・・ロッドアンテナ、３・・・ヒンジ部、３１・・・第１回転軸、３２・・・第２回転軸
【図１】
2008252408.tif 000003
【図２】
2008252408.tif 000004
【図３】
2008252408.tif 000005
【図４】
2008252408.tif 000006
【図５】
2008252408.tif 000007
【図６】
2008252408.tif 000008
【図７】
2008252408.tif 000009
【図８】
2008252408.tif 000010
【図９】
2008252408.tif 000011